(57)【要約】【課題】本発明は、重送されてきた原稿を確実に分離し、複数の搬送路と複数の原稿読取手段を用いて、高速に読み取り処理を行う画像読取装置の提供を目的とする。【解決手段】原稿の画像を読み取る画像読取装置において、前記原稿搬送路に設けられた原稿の厚みを検知する原稿厚み検知手段と、前記原稿搬送路に設けられた搬送原稿吸引用の第１の吸引手段と、前記原稿搬送路に設けられた重送原稿吸引用の第２の吸引手段と、前記原稿搬送路から分岐された複数の搬送路と、前記原稿搬送路に重送された原稿を前記分岐された搬送路のいずれに導くかを切り換える原稿分岐手段と、前記複数の搬送路に配された複数の画像読取り手段と、前記原稿給紙部から原稿が重送されてきたとき前記第１、第２の吸引手段及び前記原稿分岐手段を動作させて原稿を分離し、前記分岐された搬送路に搬送するように制御する制御部を有する【選択図】図１
2007243875.tif 000002
【特許請求の範囲】
【請求項１】
原稿を原稿給紙部から搬出し、原稿搬送路に搬送して原稿の画像を読み取る画像読取装置において、
前記原稿搬送路に設けられた原稿の厚みを検知する原稿厚み検知手段と、
前記原稿搬送路に設けられた搬送原稿吸引用の第１の吸引手段と、
前記原稿搬送路に設けられた重送原稿吸引用の第２の吸引手段と、
前記原稿搬送路から分岐された複数の搬送路と、
前記原稿搬送路に重送された原稿を前記分岐された搬送路のいずれに導くかを切り換える原稿分岐手段と、
前記複数の搬送路に配された複数の画像読取り手段と、
前記原稿給紙部から原稿が重送されてきたとき前記第１、第２の吸引手段及び前記原稿分岐手段を動作させて原稿を分離し、前記分岐された搬送路に搬送するように制御する制御部を有することを特徴とする画像読取装置。
【請求項２】
前記第１と第２の吸引手段はそれぞれ複数のファンであることを特徴とする請求項１に記載の画像読取装置。
【請求項３】
前記制御部は、前記第２の吸引手段の風量を前記第１の吸引手段の風量の１．２〜２倍に制御することを特徴とする請求項１又は２に記載の画像読取装置。
【請求項４】
前記制御部は、前記第１の吸引手段の風量を前記原稿厚み検知手段で検知した原稿の厚みに基づいて制御することを特徴とする請求項１乃至３の何れか１項に記載の画像読取装置。
【請求項５】
前記制御部は、前記原稿厚み検知手段が検知した厚みが０．０８ｍｍ以上で０．１５ｍｍ未満の用紙を搬送する場合、前記第１の吸引手段の風量を０．３〜０．９ｍ3／分に制御することを特徴とする請求項１乃至４の何れか１項に記載の画像読取装置。
【請求項６】
前記制御部は、前記原稿厚み検知手段が検知した厚みが０．０８ｍｍ以上で０．１５ｍｍ未満の用紙を搬送する場合の前記第１の吸引手段の風量を１としたとき、
厚みが０．１５ｍｍ以上の用紙を搬送する場合は、前記第１の吸引手段の風量を１．５〜２倍に、
厚みが０．０８ｍｍ未満の用紙を搬送する場合は、前記第１の吸引手段の風量を０．６〜０．８倍に、制御することを特徴とする請求項５に記載の画像読取装置。
【発明の詳細な説明】
【技術分野】
【０００１】
本発明は、自動搬送中の原稿の画像を読み取る画像読取装置に関するものである。
【背景技術】
【０００２】
従来、ＡＤＦ（自動原稿送り装置（シート自動給送部））により原稿を所定の原稿トレイから搬送路に自動搬送し、搬送中の原稿の画像を読み取る画像読取装置が知られている。そこで、複数の搬送路と、そのそれぞれを搬送中の原稿の画像を読み取る画像読取り手段と、原稿を搬送路のいずれに導くかを切替える原稿分岐手段とを設ける。原稿分岐手段により原稿を２つの搬送路に順次導いて２つの搬送路それぞれにおいて原稿の画像を並行して読取り可能とする方法が提案された（例えば、特許文献１参照）。
【特許文献１】特開２００４−２８９６６２号公報
【発明の開示】
【発明が解決しようとする課題】
【０００３】
特許文献１は、複数の原稿搬送路と複数の画像読み取り素子を有する装置であり、複数の搬送路へ原稿を順次搬送するためにエア搬送により重ねて搬送して、原稿分岐手段として、可動ガイド板６４＋ブラシローラ６３が記載されている。
【０００４】
可動ガイド板６４が上側の搬送路側に搬送路を規制して１枚目を上側の搬送路に送り出す。このときブラシローラ６３が回転して上側の搬送路に送り出されるようにアシストする。次に重なって搬送されてきた２枚目の用紙が搬送されるタイミングで可動ガイド板６４を下側の搬送路に切り替えるとともにブラシローラ６３の回転方向を１枚目とは反対方法に回転させることで原稿を複数の搬送路へ分離する。
【０００５】
しかしながら、図７（ａ）に示すように原稿の用紙の厚さによるコシの強さにより重送原稿６２が自重では落下方向に下がらずにブラシローラ６３にぶつかったり、図７（ｂ）に示すように原稿の静電気によって１枚目の原稿に重送原稿６２をくっついたままで下側の搬送路に進入しないという問題があった。
【０００６】
そこで、本発明は、重送されてきた原稿を確実に分離し、複数の搬送路と複数の画像読取り手段を用いて、高速に読み取り処理を行う画像読取装置の提供を目的とする。
【課題を解決するための手段】
【０００７】
本発明の目的は、下記構成により達成することができる。
（１）
原稿を原稿給紙部から搬出し、原稿搬送路に搬送して原稿の画像を読み取る画像読取装置において、
前記原稿搬送路に設けられた原稿の厚みを検知する原稿厚み検知手段と、
前記原稿搬送路に設けられた搬送原稿吸引用の第１の吸引手段と、
前記原稿搬送路に設けられた重送原稿吸引用の第２の吸引手段と、
前記原稿搬送路から分岐された複数の搬送路と、
前記原稿搬送路に重送された原稿を前記分岐された搬送路のいずれに導くかを切り換える原稿分岐手段と、
前記複数の搬送路に配された複数の画像読取り手段と、
前記原稿給紙部から原稿が重送されてきたとき前記第１、第２の吸引手段及び前記原稿分岐手段を動作させて原稿を分離し、前記分岐された搬送路に搬送するように制御する制御部を有することを特徴とする画像読取装置。
（２）
前記第１と第２の吸引手段はそれぞれ複数のファンであることを特徴とする（１）に記載の画像読取装置。
（３）
前記制御部は、前記第２の吸引手段の風量を前記第１の吸引手段の風量の１．２〜２倍に制御することを特徴とする（１）又は（２）に記載の画像読取装置。
（４）
前記制御部は、前記第１の吸引手段の風量を前記原稿厚み検知手段で検知した原稿の厚みに基づいて制御することを特徴とする（１）乃至（３）の何れか１項に記載の画像読取装置。
（５）
前記制御部は、前記原稿厚み検知手段が検知した厚みが０．０８ｍｍ以上で０．１５ｍｍ未満の用紙を搬送する場合、前記第１の吸引手段の風量を０．３〜０．９ｍ3／分に制御することを特徴とする（１）乃至（４）の何れか１項に記載の画像読取装置。
（６）
前記制御部は、前記原稿厚み検知手段が検知した厚みが０．０８ｍｍ以上で０．１５ｍｍ未満の用紙を搬送する場合の前記第１の吸引手段の風量を１としたとき、
厚みが０．１５ｍｍ以上の用紙を搬送する場合は、前記第１の吸引手段の風量を１．５〜２倍に、
厚みが０．０８ｍｍ未満の用紙を搬送する場合は、前記第１の吸引手段の風量を０．６〜０．８倍に、制御することを特徴とする（５）に記載の画像読取装置。
【発明の効果】
【０００８】
重送されてきた原稿を確実に分離し、複数の搬送路と複数の原稿読取手段を用いて、原稿読み取りを素子の速度に制約されず、高速に読み取り処理を行う画像読取装置の提供を目的とする。
【発明を実施するための最良の形態】
【０００９】
以下、図面に基づき本発明の実施の形態を説明する。
【００１０】
図１は、本実施の形態に係る画像読取装置Ａの概略断面を模式的に表したものである。
【００１１】
原稿Ｄを積載する原稿給紙部１と、原稿給紙部１から原稿Ｄを排出し、原稿搬送路１６に搬出する原稿供給手段２と、原稿搬送路１６にあって、搬出されてきた原稿Ｄの厚さを検知する原稿厚さ検知手段５と、並列して設けられた原稿Ｄの複数の搬送路である第１の搬送路１７及び第２の搬送路１８と、原稿給紙部１から原稿供給手段２により搬出される原稿Ｄを第１及び第２の搬送路１７、１８のいずれに導くかを切り替える原稿分岐手段３と、第１の吸引手段１３、第２の吸引手段１４と、第１及び第２の搬送路１７、１８において原稿Ｄを搬送する複数の搬送ローラ対４と、前記第１の搬送路１７を搬送中の原稿Ｄ１の一方の面（前記原稿給紙部１に載置されたときの上面側、以下、便宜上おもて面という）の画像をガラス板７を介して読み取る第１の画像読取り手段８と、前記第２の搬送路１８を搬送中の原稿Ｄ２のおもて面の画像を読み取れるように構成された第２の画像読取り手段９と、画像が読み取られた原稿Ｄが排出される原稿排出トレイ５と、原稿画像を１枚ずつ手動操作により読み取る際のプラテンガラスの機能を果たす原稿台６とを具備している。
【００１２】
前記第１の画像読取り手段８は、２つの光学系走査ユニットである第１及び第２の走査ユニット８１、８２を具備している。
【００１３】
前記第１の走査ユニット８１は、所定の搬送原稿読取位置Ｐ０に停止した状態で、主走査方向（図１の奥行き方向）に１ラインずつ露光して原稿Ｄからの反射光を前記第２の走査ユニット８２に導くものであり、光源（例えば、ハロゲンランプや蛍光灯などの露光ランプ）８１ａと、原稿Ｄからの反射光を第２の走査ユニット８２に導く第１の反射ミラー８１ｂとを備える。
【００１４】
前記第２の走査ユニット８２は、前記第１の走査ユニット８１に追随して所定の速度（例えば、前記第１の走査ユニット８１の半分の速度）で移動するよう制御され、前記第１の反射ミラー８１ｂからの反射光を前記結像レンズ８３に導く第２及び第３の反射ミラー８２ａ、８２ｂを備える。前記結像レンズ８３は、前記第３の反射ミラー８２ｂからの反射光を、ＣＣＤ８４（Ｃｈａｒｇｅ  Ｃｏｕｐｌｅｄ  Ｄｅｖｉｃｅ）上で結像させるものである。該ＣＣＤ８４は、前記結像レンズ８３からの反射光をアナログの電気信号に変換するものである。なお、この電気信号は、不図示の画像処理部によってデジタルの画像データに変換され、画像メモリに記憶されたり、画像形成装置や外部の機器などに出力される。
【００１５】
次に、図２（ａ）〜（ｄ）を用いて、原稿供給手段２の構成及び動作について説明する。図２（ａ）〜（ｄ）は、原稿供給手段２の概略断面を模式的に表したものである。原稿供給手段２は、図２（ａ）に示すように、２つの回転ローラ２１の回りに回転する無端ベルトであるエア給紙ベルト２２を具備している。エア給紙ベルト２２は、原稿給紙部１上に載置された原稿Ｄの最上面に近接するよう配置されるとともに、ベルトの略全面に渡って複数の孔（不図示）が設けられており、孔を通して下側（原稿Ｄ側）から上側（矢印Ｚ方向）へ空気が吸引されるよう構成されている。
【００１６】
以下、図２（ａ）〜（ｄ）により、原稿供給手段２による原稿Ｄの供給動作について説明する。
【００１７】
まず、不図示の制御部から原稿供給指令を受けると、エア給紙ベルト２２が原稿Ｄの供給方向に回転するとともに、エア給紙ベルト２２の孔を通じてのエア吸引が開始される（図２（ａ）の状態）。これにより、最上面の原稿Ｄ１がエア給紙ベルト２２に吸引され、吸引された原稿Ｄが前記エア給紙ベルト２２の回転に従って後段に設けられた１次給紙ローラ対２３に向けて搬送される（図２（ｂ）の状態）。ここで、原稿Ｄの搬送方向（図２の左方向）の下流側かつエア給紙ベルト２２に吸引された原稿Ｄの下側から、原稿の搬送方向の上流側かつ斜め上方（矢印Ｗの方向）に向けてスリット状のノズル２４から空気が噴射されるよう構成されている。これにより、最上面の原稿Ｄ１に２枚目以降の原稿が静電気等により付着して重送されそうになった場合でも、前記ノズル２４からの噴射空気の作用により、２枚目以降の原稿Ｄが最上面の原稿Ｄ１から引き剥がされるので、原稿Ｄが重送されるのを防止できる。
【００１８】
最上面の原稿Ｄ１の搬送が、１次給紙ローラ対２３に引き継がれてしばらくすると、原稿Ｄ１の後端（搬送方向における最下流側の端）側がエア給紙ベルト２２の原稿Ｄ側の面の一部しか覆わない状態となるため、解放状態となったエア給紙ベルト２２の孔を通じた吸引作用により、最上面から２枚目の原稿Ｄ２が最上面の原稿Ｄ１と一部重なる状態でエア給紙ベルト２２に吸引される（図２（ｃ）の状態）。
【００１９】
このようにして吸引された２枚目の原稿Ｄ２もエア給紙ベルト２２の回転に従って１次給紙ローラ対２３に向けて搬送され、１次給紙ローラ対２３に搬送が引き継がれた後に、エア給紙ベルト２２の回転と、ベルト２２の孔を通じたエア吸引とが停止される（図２（ｄ）の状態）。これにより、最上面及び２枚目の原稿Ｄ１、Ｄ２は、その後、１次給紙ローラ対の回転力により搬送される。エア給紙ベルト２２の回転及びエア吸引を停止するタイミングは、例えば、エア吸引の吸引側の圧力変化（圧力上昇）によって検出する、或いは不図示の操作部から設定された原稿サイズに応じた時間経過を計時する等によって決定すればよい。このような図２（ａ）〜（ｄ）に示す動作を順次繰り返すことにより、２枚ずつの原稿Ｄ１、Ｄ２が一部重なる状態で前記原稿給紙部１から順次搬出される（装置内へ順次供給される）。
【００２０】
もちろん、従来の一般的なピックアップローラ等により原稿Ｄを一部重なることなく１枚ずつ供給（搬出）してもよいが、図２に示した構成及び動作で原稿を供給する場合の方が、１枚ずつ完全に搬出されるのを待つ従来の方法よりも原稿供給に要する時間が短縮される。特に、原稿サイズが大きい場合や、原稿枚数が多い場合等には時間の短縮効果が顕著に表れることになる。
【００２１】
以上のようにして、一部重なる状態で順次搬出された最上面及び２枚目の原稿Ｄ１、Ｄ２は、原稿分岐手段３によって第１及び第２の搬送路１７及び１８それぞれに導かれ、これによって２枚の原稿Ｄ１、Ｄ２の画像が並行して第１及び第２の搬送路１７、１８において読み取られることになる。この場合における前記原稿分岐手段３の動作については後述する。
【００２２】
一方、原稿を重送しないで１枚ずつ給紙を行う場合は、図２（ｂ）に示される状態でエア給紙ベルト２２の回転及びエア吸引が停止される。この動作が繰り返されることにより、最上面の原稿Ｄ１が１枚ずつ供給されることになる。
【００２３】
原稿給紙部１から給紙された原稿Ｄは、給紙ローラ対２３により搬送される。給紙ローラ対２３により搬送された原稿Ｄは図２で説明したように重なった状態で原稿厚さ検知手段５まで重送される。原稿厚さ検知手段５では、原稿Ｄの先端が原稿厚さ検知手段５を通過したとき、原稿の厚さが検知されるので、原稿Ｄの１枚分厚さが検知される。
【００２４】
次に制御部により、制御される本実施の形態の用紙の分離動作について説明する。
【００２５】
図３は、原稿搬送路１６において重送された原稿が第１、第２の吸引手段１３、１４と原稿分岐手段３を用いて第１の搬送路１７と第２の搬送路１８に分離、搬送される様子が示されている。
【００２６】
原稿厚さ検知手段５を通過した原稿Ｄは、さらに搬送されて第１、第２の吸引手段１３、１４の位置まで進む。
【００２７】
図３（ａ）では、原稿分岐手段３は、原稿Ｄが第１の搬送路１７に進むように切り替えられて、原稿Ｄの先端が第１の吸引手段１３を塞ぐまで搬送される。第１の吸引手段１３は動作を行っているので風が矢印Ｘ方向に流れる。上方の原稿Ｄ１は上に吸引されながら搬送を続ける。
【００２８】
図３（ｂ）では、原稿Ｄ１の先端が第１の搬送ローラ対４１に挟持されたとき原稿分岐手段３は下側の原稿Ｄ２が第２の搬送路１８へ進む位置に切り替えられる。さらに原稿Ｄが搬送され、下側の原稿Ｄ２の先端が第２の吸引手段１４の中央に達したとき第２の吸引手段１４が動作を開始し、矢印Ｙ方向の風がながれ原稿Ｄ２の先端は原稿Ｄ１から分離される。
【００２９】
図３（ｃ）では、さらに原稿Ｄは搬送されて、原稿Ｄ２の先端が第２の搬送ローラ対４２に挟持され完全に分離される。その後、原稿Ｄ１は第１の搬送路１７を、原稿Ｄ２は第２の搬送路１８を搬送される。
【００３０】
図３（ｄ）では、原稿Ｄ１、Ｄ２の後端が第１、第２の搬送ローラ対４１、４２を通過した後、下流側にある第１、第２の画像読取り手段８、９まで進み、読み取り動作が実行される。原稿分岐手段３は、再び、原稿Ｄが第１の搬送路１７に進むように切り替えられ、第１、第２の吸引手段１３、１４は動作を停止し、次の原稿の処理に備える。
【００３１】
第１、第２の吸引手段はそれぞれファンの吸引能力により、１ヶ以上のファンにより形成される。
【００３２】
図４、図５は、原稿分岐手段３と第１、第２の吸引手段１３、１４を用いて原稿Ｄを分離する動作のフローチャートである。
【００３３】
制御部により制御される動作をフローチャートに従って説明する。
【００３４】
図４のメインルーチンは、原稿給紙部１から原稿供給手段２によって原稿が取り出されたことによって開始される。
【００３５】
ステップＳ１では、原稿厚さ検知手段が原稿の先端を判断する。原稿の先端を検知した（ステップＳ１：ＹＥＳ）場合はステップＳ２へ進む。検知しない（ステップ１：ＮＯ）場合はステップ１で原稿の通過を待つ。
【００３６】
ステップＳ２では、原稿が第１の搬送路１７に搬送される方向へ原稿分岐手段を切り替える。
【００３７】
ステップＳ３では、原稿厚さを検知し、原稿が重送されているかを検知する。
【００３８】
原稿厚さ検知手段５は、例えば、超音波センサなどからなる。動作の一例を図６を用いて説明する。
【００３９】
図６は、原稿が原稿厚さ検知手段を通過するときの原稿の状態と厚さ検知信号を表したものである。
【００４０】
図６（ａ）は１枚の原稿が原稿厚さ検知手段を通過した場合を示す。原稿厚さ検知手段５は、１枚の原稿Ｄの先端から後端までの間（時間ｔ２）は原稿を検知して検知信号は電圧Ｖ１になる。
【００４１】
図６（ｂ）は２枚の原稿が重送されて原稿厚さ検知手段５を通過した場合を示す。搬送された原稿Ｄ１の先端から２枚の原稿が重なるまでの間（時間ｔ２）は、検知信号は電圧Ｖ１になり、原稿Ｄ１、Ｄ２が重なってから原稿Ｄ１の後端までの間（時間ｔ３）は、検知信号は電圧Ｖ２になる。さらに、原稿Ｄ２の後端までの間（時間ｔ４）は、検知信号は再び電圧Ｖ１に戻る。
【００４２】
検知信号の電圧は、原稿の厚さに基づいた値になる。すなわち、原稿の厚さは、検知信号の電圧、例えば、Ｖ１の振幅によって検知できるし、原稿の重送は、電圧Ｖ１とＶ２の振幅の差によって検知できる。
【００４３】
図４にもどり、
ステップＳ４では、第１の吸引手段の動作開始のサブルーチンへジャンプする。
【００４４】
ステップＳ５では、原稿が重送されているかを判断する。重送されている（ステップＳ５：ＹＥＳ）場合は、ステップＳ６へ進み、原稿が１枚（ステップＳ５：ＮＯ）の場合はステップＳ１３へ進む。
【００４５】
ステップＳ６では、原稿Ｄ１の先端が第１の搬送ローラ対に挟持されたかを判断する。挟持された（ステップＳ６：ＹＥＳ）場合は、ステップＳ７へ進む。（図３（ｂ）参照）挟持されていない（ステップＳ７：ＮＯ）場合は原稿が搬送されて挟持されるのを待つ。
【００４６】
ここでの判断は、第１の搬送ローラ対４１の下流側の近くにセンサを設けて原稿の通過を検知もよいが、ステップＳ１で原稿先端を検知してからの経過時間で判断してもよい。
【００４７】
ステップＳ７では、原稿Ｄ２が第２の搬送路１８に搬送される方向へ原稿分岐手段を切り替える。
【００４８】
ステップＳ８では、原稿Ｄ２の先端が第２の吸引手段の中央を越えたかを判断する。中央を越えた（ステップＳ８：ＹＥＳ）場合、ステップＳ９へ進む。中央を越えていない（ステップＳ８：ＮＯ）場合は、さらに搬送されるのを待つ。
【００４９】
ステップＳ９では、第２の吸引手段の動作開始のサブルーチンへジャンプする。
【００５０】
ステップＳ１０では、さらに、原稿を搬送し、分離動作を行う。（図３（ｃ）参照）
ステップＳ１１では、原稿Ｄ２の後端が第２の搬送ローラ対を通過したかを判断する。通過した（ステップＳ１０：ＹＥＳ）場合はステップＳ１２へ進む。通過していない場合は通過を待つ。
【００５１】
ここでの判断は、第２の搬送ローラ対４２の下流側の近くにセンサを設けて原稿の通過を検知もよいが、ステップＳ１で原稿先端を検知してからの経過時間で判断してもよい。
【００５２】
ステップＳ１２では、第１、第２の吸引手段を停止させる。（図３（ｄ）参照）
ステップＳ１３では、原稿Ｄ１の後端が第２の搬送ローラ対４２を通過したかを判断する。通過した（ステップＳ１３：ＹＥＳ）場合はステップＳ１２へ進む。通過していない場合は通過を待つ。
【００５３】
図５（ａ）は、原稿の厚みに基づいて風量が制御される第１の吸引手段の動作開始のサブルーチンのフローチャートを示す。
【００５４】
ステップＳ２１では、所定値を風量１のレジスタに設定する。所定値とは、第１の吸引手段の風量を示し、０．３〜０．９ｍ3／分が適量である。例えば、０．６ｍ3／分と設定する。風量１は、第１の吸引手段の風量を格納するレジスタである。
【００５５】
ステップＳ２２では、原稿厚み検知手段で検知した原稿の厚みが０．０８ｍｍ以下であるかを判断する。０．０８ｍｍ以下（ステップＳ２２：ＹＥＳ）の場合はステップＳ２３へ、０．０８ｍｍより大きい（ステップＳ２２：ＮＯ）の場合はステップＳ２４へ進む。
【００５６】
ステップＳ２３では、所定値の０．８倍、例えば、０．６Ｘ０．８＝０．４８ｍ3／分を風量１のレジスタに設定する。
【００５７】
ステップＳ２４では、原稿厚み検知手段で検知した原稿の厚みが０．１５ｍｍ以上であるかを判断する。０．１５ｍｍ以上（ステップＳ２４：ＹＥＳ）の場合はステップＳ２５へ、０．１５ｍｍ未満（ステップＳ２４：ＮＯ）の場合はステップＳ２６へ進む。
【００５８】
ステップＳ２５では、所定値の１．６倍、例えば、０．６Ｘ１．６＝０．９６ｍ3／分を風量１のレジスタに設定する。
【００５９】
ステップＳ２６では、風量１のレジスタに格納されている風量値で第１の吸引手段の動作を開始し、メインルーチンに戻る。
【００６０】
図５（ｂ）に第２の吸引手段の動作開始のサブルーチンのフローチャートを示す。
【００６１】
ステップＳ３１では、風量１に格納された風量の１．６倍の値を風量２に設定する。例えば、原稿の厚みが０．１５ｍｍ以上あった場合、風量１には０．９６ｍ3／分が格納されているので０．９６Ｘ１．６＝１．５３６ｍ3／分を風量２のレジスタに設定する。
【００６２】
ステップＳ３２では、風量２のレジスタに格納されている風量値で第２の吸引手段の動作を開始し、メインルーチンに戻る。
【００６３】
原稿の厚みによって第１の吸引手段による風量を変えることで、重送紙の分離が確実に行うことが可能となる。
【００６４】
表１は、第１の吸引手段に対して第２の吸引手段の風量変えて用紙の分離検討を行った結果である。風量比率は、第２の吸引手段の風量を第１の吸引手段の風量で除した値である。
【００６５】
【表１】
2007243875.tif 000003
【００６６】
表１の結果より本実施の形態では上述したように（ステップＳ３１）、第２の吸引手段の風量を第１の吸引手段の風量の１．６倍にした。
【００６７】
第１の吸引手段に対して第２の吸引手段の風量の比率を１．２〜２倍にすることで、重送紙の分離が確実に行なうことが可能となる。
【００６８】
その他、原稿読取り装置の構成する各構成の細部構成及び細部動作に関しても、本発明の趣旨を逸脱することのない範囲で適宜変更可能である。
【図面の簡単な説明】
【００６９】
【図１】本実施の形態に係る画像読取装置Ａの概略断面を模式的に表したものである。
【図２】本実施の形態に係る原稿供給手段の概略断面を模式的に表したものである。
【図３】本実施の形態に係る重送された原稿が分離、搬送される様子を示したものである。
【図４】本実施の形態に係る原稿Ｄを分離する動作のフローチャートである。
【図５】本実施の形態に係る原稿Ｄを分離する動作のフローチャートである。
【図６】原稿が原稿厚さ検知手段を通過するときの原稿の状態と厚さ検知信号を表したものである。
【図７】従来技術における原稿分離方法をしめした模式図である。
【符号の説明】
【００７０】
１  原稿給紙部
２  原稿供給手段
３  原稿分岐手段
４  搬送ローラ対
５  原稿厚さ検知手段
６  原稿台
７  ガラス板
８  第１の画像読取り手段
９  第２の画像読取り手段
１６  原稿搬送路
１７  第１の搬送路
１８  第２の搬送路
４１  第１の搬送ローラ対
４２  第２の搬送ローラ対
【図１】
2007243875.tif 000004
【図２】
2007243875.tif 000005
【図３】
2007243875.tif 000006
【図４】
2007243875.tif 000007
【図５】
2007243875.tif 000008
【図６】
2007243875.tif 000009
【図７】
2007243875.tif 000010